(57)【要約】【課題】身体の状態を適切に推定可能な推定システム、推定方法及び推定プログラムを提供する。【解決手段】推定システム１は、被検者の血流に関する情報を測定する測定部１６０と、測定部１６０が測定した血流に関する情報に基づいて被検者に対するマッサージの効果を推定する制御部２２０と、推定されたマッサージの効果を報知する報知部２６０と、を備える。【選択図】図１
2018079239.tif 000002
【特許請求の範囲】
【請求項１】
被検者の血流に関する情報を測定する測定部と、
前記測定部が測定した前記血流に関する情報に基づいて前記被検者に対するマッサージの効果を推定する制御部と、
前記推定されたマッサージの効果を報知する報知部と、
を備える推定システム。
【請求項２】
前記マッサージは、マッサージのパターン及び被検者のマッサージ部位の少なくとも一方が異なる第１のマッサージと第２のマッサージとを含み、
前記報知部は、前記第１のマッサージの効果と前記第２のマッサージの効果とを報知する、請求項１に記載の推定システム。
【請求項３】
前記測定部は、前記被検者の頭部において、耳珠又は耳甲介における前記血流に関する情報を測定する、請求項１に記載の推定システム。
【請求項４】
測定部と制御部と報知部とを備える推定システムにより実行される推定方法であって、
前記測定部が、被検者の血流に関する情報を測定し、
前記制御部が、前記測定部が測定した前記血流に関する情報に基づいて前記被検者に対するマッサージの効果を推定し、
前記報知部が、前記推定されたマッサージの効果を報知する、推定方法。
【請求項５】
コンピュータに、
被検者の血流に関する情報を測定させ、
前記測定された前記血流に関する情報に基づいて前記被検者に対するマッサージの効果を推定させ、
前記推定されたマッサージの効果を報知させる、
推定プログラム。
【発明の詳細な説明】
【技術分野】
【０００１】
本開示は、推定システム、推定方法及び推定プログラムに関する。
【背景技術】
【０００２】
従来、マッサージを受ける被検者（ユーザ）の身体の状態を推定する装置が知られている。例えば、特許文献１には、被検者の凝り度合い及び／又はリラックス度合いを判定するマッサージ機が開示されている。
【先行技術文献】
【特許文献】
【０００３】
【特許文献１】特開２００２−２３８９６８号公報
【発明の概要】
【発明が解決しようとする課題】
【０００４】
従来の技術では、被検者の身体の状態を適切に推定できない場合がある。
【０００５】
本開示の目的は、身体の状態を適切に推定可能な推定システム、推定方法及び推定プログラムを提供することにある。
【課題を解決するための手段】
【０００６】
推定システムの一態様は、測定部と、制御部と、報知部とを備える。前記測定部は、被検者の血流に関する情報を測定する。前記制御部は、前記測定部が測定した前記血流に関する情報に基づいて前記被検者に対するマッサージの効果を推定する。前記報知部は、前記推定されたマッサージの効果を報知する。
【０００７】
推定方法の一態様は、測定部と制御部と報知部とを備える推定システムにより実行される推定方法である。前記測定部は、被検者の血流に関する情報を測定する。前記制御部は、前記測定部が測定した前記血流に関する情報に基づいて前記被検者に対するマッサージの効果を推定する。前記報知部は、前記推定されたマッサージの効果を報知する。
【０００８】
推定プログラムの一態様は、コンピュータに、被検者の血流に関する情報を測定させ、前記測定された前記血流に関する情報に基づいて前記被検者に対するマッサージの効果を推定させ、前記推定されたマッサージの効果を報知させる。
【発明の効果】
【０００９】
本開示によれば、身体の状態を適切に推定可能な推定システム、推定方法及び推定プログラムを提供できる。
【図面の簡単な説明】
【００１０】
【図１】本開示の一実施形態に係る推定システムの概略を示す構成図である。
【図２】図１の推定システムの概略構成を示す機能ブロック図である。
【図３】測定機構の保持状態を頭頂側から見た場合の図である。
【図４】図１の測定装置により取得される血流波形の一例を示す模式図である。
【図５】図１のマッサージ装置に備えられるコントロールパネルの概略正面図である。
【図６】図１のマッサージ装置による推定処理の一例を示すフローチャートである。
【図７】図１のマッサージ装置の報知部に表示される画面の一例を示す図である。
【図８】図１のマッサージ装置の報知部に表示される画面の一例を示す図である。
【図９】図１のマッサージ装置の報知部に表示される画面の一例を示す図である。
【図１０】図１のマッサージ装置の報知部に表示される画面の一例を示す図である。
【図１１】図１のマッサージ装置の報知部に表示される画面の一例を示す図である。
【図１２】図１のマッサージ装置の報知部に表示される画面の一例を示す図である。
【図１３】図１のマッサージ装置の報知部に表示される画面の一例を示す図である。
【図１４】図１のマッサージ装置の報知部に表示される画面の一例を示す図である。
【図１５】図１のマッサージ装置の報知部に表示される画面の一例を示す図である。
【図１６】図１のマッサージ装置の報知部に表示される画面の一例を示す図である。
【図１７】図１のマッサージ装置の報知部に表示される画面の一例を示す図である。
【図１８】図１のマッサージ装置の報知部に表示される画面の一例を示す図である。
【図１９】図１のマッサージ装置の報知部に表示される画面の一例を示す図である。
【図２０】図１のマッサージ装置の報知部に表示される画面の一例を示す図である。
【図２１】図１のマッサージ装置の報知部に表示される画面の一例を示す図である。
【図２２】図１の推定システムによる制御手順の一例を示すシーケンス図である。
【図２３】本開示の一実施形態に係る推定システムの概略を示す構成図である。
【図２４】図２３の推定システムの概略構成を示す機能ブロック図である。
【図２５】図２３の推定システムによる制御手順の一例を示すシーケンス図である。
【図２６】本開示の一実施形態に係る推定システムの概略を示す構成図である。
【図２７】図２６の推定システムの概略構成を示す機能ブロック図である。
【図２８】図２６の推定システムによる制御手順の一例を示すシーケンス図である。
【図２９】本開示の一実施形態に係る推定システムの概略を示す構成図である。
【図３０】図２９の測定装置の一例を示す外観斜視図である。
【図３１】図２９のセンサユニットの一例を示す外観斜視図である。
【図３２】図２９の推定システムの概略構成を示す機能ブロック図である。
【図３３】人間の右耳の概略図である。
【図３４】図２９のセンサユニットの被検者の右耳への装着態様を示す概略図である。
【図３５】図２９の推定システムによる制御手順の一例を示すシーケンス図である。
【発明を実施するための形態】
【００１１】
以下、本開示の実施形態について、図面を参照して詳細に説明する。
【００１２】
（第１の実施形態）
図１は、本開示の第１の実施形態に係る推定システム１の概略を示す構成図である。図１に示されるように、第１の実施形態に係る推定システム１は、測定装置１００とマッサージ装置２００とを含む。測定装置１００とマッサージ装置２００とは、無線により接続され、情報の送受信が行われる。
【００１３】
図１に示すマッサージ装置２００は、着脱自在なコントロールパネル２０３を備える。このコントロールパネル２０３には、後述する報知部２６０としてのディスプレイ、及び入力部２５０等が備えられる。
【００１４】
図１に示す測定装置１００は、外観形状において、保持部１１０と、測定機構１２０と、電源保持部１３０とを備える。
【００１５】
保持部１１０は、例えばアーチ形状である。被検者は、保持部１１０で頭部を挟み込むことにより、測定装置１００を装着できる。測定機構１２０は、保持部１１０の第１端１０１側に配置される。また、電源保持部１３０は、保持部１１０において、第１端１０１とは反対の第２端１０２側に配置される。被検者が測定装置１００を装着した状態において、測定機構１２０は、被検部位である被検者の耳に接触する。測定装置１００は、測定機構１２０が接触する被検者の耳において、血流に関する情報を取得する。
【００１６】
測定装置１００は、第１端１０１側に、制御機構保持部１４０を備える。制御機構保持部１４０は、測定装置１００が備える各機能ブロック（図２参照）を制御する制御機構を保持する。
【００１７】
被検者は、第１端１０１側の測定機構１２０を例えば左耳に保持し、第２端１０２側に設けられた当接部１５０を右耳の上部に当接させ、保持部１１０が頭頂部を通るようにして、測定装置１００を装着する。被検者は、測定装置１００を装着した状態で、測定装置１００に血流に関する情報を測定させる。つまり、測定装置１００は、被検者が例えば頭部に装着される。測定装置１００は、頭部において被検者の血流に関する情報を取得する。
【００１８】
次に、図１に示される推定システム１の内部構成について説明する。図２は、本開示の第１の実施形態に係る推定システム１の概略構成を示す機能ブロック図である。第１の実施形態である推定システム１は、測定装置１００と、マッサージ装置２００とを備える。測定装置１００と、マッサージ装置２００とは、無線により互いに通信可能に接続されている。測定装置１００と、マッサージ装置２００とは、有線又は有線と無線を組み合わせて互いに通信可能に接続されているとしてもよい。
【００１９】
ここで図１において通信部１９０と通信部２４０との間は実線により接続されているが、この実線は、有線、無線又は有線と無線との組み合わせの通信回線により測定装置１００と、マッサージ装置２００とが接続されることを示している。なお、本開示におけるマッサージとは、人又は動物を摩さつし、押し、もみ、又はたたく等の行為をいい、機械若しくはその他の物体を用いて行われる行為、若しくは人による行為又はこれらを組み合わせた行為により行われる行為を含む。
【００２０】
次に、図１に示される測定装置１００のユーザへの保持状態について、図３を参照して説明する。図３は、図１に示す測定装置１００の測定機構１２０の保持状態を頭頂側から見た場合の図である。なお、測定機構１２０の理解を容易にするために、図３において、測定装置１００が備える測定機構１２０以外の構成要素については、図示を省略している。
【００２１】
測定機構１２０は、挿入部１２１と、押圧部１２２と、接触部１２３と、接続部１２４とを備える。
【００２２】
挿入部１２１は、被検者が測定装置１００を装着した際に、左耳の外耳道に挿入される。つまり、被検者は、測定装置１００を装着する際に、挿入部１２１が左耳の外耳道に挿入されるように、測定機構１２０を頭部に保持させて、測定装置１００を装着する。
【００２３】
接触部１２３は、凹型形状の部材であり、２つの突出部１２３ａ及び１２３ｂを備える。突出部１２３ａは、被検者が測定装置１００を装着した際に後頭部側に位置する。突出部１２３ｂは、被検者が測定装置１００を装着した際に頭部の正面側に位置する。接触部１２３は、被検者が測定装置１００を装着した際に、２つの突出部１２３ａ及び１２３ｂの間に形成された凹型の窪んだ部分で耳珠を挟み込むようにして、耳珠に接触する。突出部１２３ａの先端側、つまり被検者が測定装置１００を装着した際に頭部側に位置する側には、挿入部１２１が固定されている。また、先端側と反対の基端側には、接続部１２４に接続されている。
【００２４】
接触部１２３は、血流に関する情報を光学的に取得するための反射型の測定部１６０を備える。測定部１６０は、血流に関する情報を取得するための生体センサとして機能する。一実施形態では、接触部１２３は、反射型の生体センサを備える。反射型の生体センサは、発光部１６１及び受光部１６２を有する。反射型の生体センサは、発光部１６１及び受光部１６２の双方が突出部１２３ａに配置される。接触部１２３における反射型の生体センサの位置は、図３に仮想的に点線で示されている。実際には、反射型の生体センサは、接触部１２３の内部に搭載されている。
【００２５】
反射型の生体センサは、被検者の耳珠（被検部位）において血流に関する情報を取得する。反射型の生体センサによる血流に関する情報の取得方法の詳細については、後述する。
【００２６】
本実施形態に係る測定装置１００は、耳珠において血流に関する情報を取得する。耳珠内の血管は、例えば指等の血管と比較して、外気温の影響を受けて拡張又は収縮しにくい。そのため、測定装置１００により取得される血流に関する情報は外気温の影響を受けにくい。これにより、本実施形態に係る測定装置１００によれば、より高い精度で血流に関する情報を測定できる。
【００２７】
被検者は、測定装置１００を装着した状態で、血流に関する情報を測定する。測定装置１００は、測定した血流に関する情報に基づいて、身体の状態を推定する。血流に関する情報は、例えば血流量を含む。
【００２８】
再び図２を参照すると、測定装置１００は、機能ブロックとして、測定部１６０と、制御部１７０と、記憶部１８０と、通信部１９０とを備える。測定部１６０は、上述のように接触部１２３の内部に搭載される。制御部１７０及び記憶部１８０は、例えば制御機構保持部１４０に搭載される。通信部１９０は、例えば電源保持部１３０又は制御機構保持部１４０に搭載される。
【００２９】
制御部１７０は、測定装置１００の各機能ブロックをはじめとして、測定装置１００の全体を制御及び管理するプロセッサである。制御部１７０は、制御手順を規定したプログラムを実行するＣＰＵ（Central Processing Unit）等のプロセッサで構成される。このようなプログラムは、例えば記憶部１８０、又は測定装置１００に接続された外部の記憶媒体等に格納される。
【００３０】
測定装置１００は、以下にさらに詳細に述べられるように、種々の機能を実行するための制御及び処理能力を提供するために、少なくとも１つのプロセッサ１７１を含む。
【００３１】
種々の実施形態によれば、少なくとも１つのプロセッサ１７１は、単一の集積回路（ＩＣ）として、又は複数の通信可能に接続された集積回路ＩＣ及び／又はディスクリート回路（discrete circuits）として実行されてもよい。少なくとも１つのプロセッサ１７１は、種々の既知の技術に従って実行されることが可能である。
【００３２】
一実施形態において、プロセッサ１７１は、例えば、関連するメモリに記憶された指示を実行することによって１以上のデータ計算手続又は処理を実行するように構成された１以上の回路又はユニットを含む。他の実施形態において、プロセッサ１７１は、１以上のデータ計算手続き又は処理を実行するように構成されたファームウェア（例えば、ディスクリートロジックコンポーネント）であってもよい。
【００３３】
種々の実施形態によれば、プロセッサ１７１は、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組み合わせを含み、以下に説明される制御部１７０の機能を実行してもよい。
【００３４】
制御部１７０は、例えば測定部１６０の出力に基づいて、血流に関する情報を測定する。制御部１７０は、測定した血流に関する情報を、通信部１９０を介して、マッサージ装置２００に送信する。
【００３５】
測定部１６０は、発光部１６１及び受光部１６２を備える。測定部１６０は、発光部１６１から、被検部位である耳珠に測定光を照射する。測定部１６０は、受光部１６２において、照射された測定光に対する耳珠内部の組織からの反射光（散乱光）を取得する。測定部１６０は、受光部１６２が取得した散乱光の光電変換信号を、制御部１７０に送信する。
【００３６】
発光部１６１は、制御部１７０の制御に基づいてレーザ光を射出する。発光部１６１は、例えば、血液中に含まれる所定の成分を検出可能な波長のレーザ光を、測定光として被検部位に照射する。発光部１６１は、例えば１つのＬＤ（レーザダイオード：Laser Diode）により構成される。
【００３７】
受光部１６２は、被検部位からの測定光の散乱光を受光する。受光部１６２は、例えば、ＰＤ（フォトダイオード：Photo diode）により構成される。
【００３８】
制御部１７０は、測定部１６０から受信した光電変換信号に基づいて、血流に関する情報として、被検部位における血流量を算出する。ここで、制御部１７０による、ドップラーシフトを利用した血流量測定技術について説明する。なお、制御部１７０は、測定部１６０から受信した光電変換信号をマッサージ装置２００に送信し、マッサージ装置２００の制御部２２０が、血流に関する情報として、被検部位における血流量を算出するとしてもよい。
【００３９】
生体の組織内において、動いている血球から散乱された散乱光は、血液中の血球の移動速度に比例したドップラー効果による周波数シフト（ドップラーシフト）を受ける。制御部１７０は、静止した組織からの散乱光と、動いている血球からの散乱光との光の干渉によって生じるうなり信号（ビート信号ともいう）を検出する。このうなり信号は、強度を時間の関数として表したものである。そして、制御部１７０は、このうなり信号を、パワーを周波数の関数として表したパワースペクトルにする。このうなり信号のパワースペクトルでは、ドップラーシフト周波数は血球の速度に比例する。また、このうなり信号のパワースペクトルでは、パワーは血球の量に対応する。制御部１７０は、うなり信号のパワースペクトルに周波数をかけて積分することにより血流量を求める。
【００４０】
図４は、測定装置１００により取得される血流波形の一例を示す模式図である。図４に示される血流波形は、被検者の脈拍１拍分の血流波形である。図４に示される血流波形は、血流量の変化を示す波形であり、例えば制御部１７０が、算出した血流量に基づいて生成する。
【００４１】
記憶部１８０は、半導体メモリ又は磁気メモリ等で構成されることができる。記憶部１８０は、各種情報又は測定装置１００を動作させるためのプログラム等を記憶する。記憶部１８０は、ワークメモリとしても機能してもよい。記憶部１８０は、例えば、測定部１６０により取得された血流に関する情報を記憶してもよい。
【００４２】
通信部１９０は、マッサージ装置２００と有線通信若しくは無線通信、又は有線通信及び無線通信の組み合わせの通信を行うことにより、各種情報の送受信を行う。例えば、通信部１９０は、測定装置１００が推定した被検者の血流に関する情報をマッサージ装置２００に送信する。
【００４３】
マッサージ装置２００は、マッサージ部２１０と、制御部２２０と、記憶部２３０と、通信部２４０と、入力部２５０と、報知部２６０とを備える。マッサージ装置２００は、例えば、マッサージチェア又はフットマッサージャ等のマッサージを行う任意の装置である。本実施形態では、マッサージ装置２００がマッサージチェアであるとして、以下説明する。
【００４４】
マッサージ部２１０は、被検者の身体を押圧する等によりマッサージを行う。マッサージ部２１０は、例えば制御部２２０の制御に基づいて、被検者の所定の部位を、所定のパターンで身体を押圧する。被検者の所定の部位とは、例えば、首、肩、腰、足又は手等である。これら例示した部位以外の部位も所定の部位に含めてもよい。所定のパターンとは、例えば、もむ、たたく、押す、ローラーを転がす等である。もちろん、これら例示したパターン以外のパターンも所定のパターンに含めてもよい。
【００４５】
部位及び／又はパターンの組み合わせが異なるマッサージの種類がＮ個（Ｎは自然数）ある場合に、これら組み合わせが異なるマッサージを、第１のマッサージ、第２のマッサージ、・・・第Ｎのマッサージとする。すなわち、第Ｎのマッサージと第Ｎ＋１のマッサージとは、部位及びパターンの少なくとも一方が異なるマッサージである。マッサージ部２１０は、例えばローラーを、マイコンで制御されたモータで動かしてマッサージする機構、又は空気圧でマッサージを行う機構であってよい。マッサージ部２１０は、上述した機構以外の他のマッサージ機構でもよい。マッサージ部２１０は、制御部２２０による制御に基づき、所定の時間（例えば１５分間）を１セットとして、マッサージを行ってよい。マッサージ部２１０は、Ｎ個の種類のマッサージの全部又は一部を、１セットの間に行う。
【００４６】
制御部２２０は、マッサージ装置２００の各機能ブロックをはじめとして、マッサージ装置２００の全体を制御及び管理するプロセッサである。制御部２２０は、制御手順を規定したプログラムを実行するＣＰＵ等のプロセッサで構成される。このようなプログラムは、例えば記憶部２３０、又はマッサージ装置２００に接続された外部の記憶媒体等に格納される。
【００４７】
制御部２２０は、マッサージ部２１０を制御（駆動）することにより、マッサージ部２１０にマッサージを行わせる。制御部２２０は、マッサージ開始後の時間経過と、時間経過に伴うマッサージの部位及びマッサージのパターンとを、記憶部２３０に記憶させる。また、制御部２２０は、測定装置１００から送信された被検者の血流に関する情報を記憶部２３０に記憶する。
【００４８】
制御部２２０は、通信部２４０を介して測定装置１００から取得した血流に関する情報に基づいて、被検者の身体の状態を推定する。マッサージ装置２００には、例えば、血流に関する情報に基づいて身体の状態を推定するためのアプリケーションが予めインストールされていてよい。制御部２２０は、当該アプリケーションを実行することにより、身体の状態の推定処理を実行する。
【００４９】
制御部２２０は、具体的には、心臓からの拍出量に関する値及び心拍数を算出する。身体の状態は、心臓からの拍出量に関する値及び心拍数に基づいて推定される。身体の状態は、例えば身体のリラックス状態である。制御部２２０は、例えば被検者がマッサージを受ける前後、及びマッサージ中における身体の状態を推定することにより、マッサージの効果を推定してもよい。本明細書において、マッサージは、マッサージ装置２００による、血液の循環を活性化させる療法を含む。
【００５０】
ここで、マッサージの効果の推定について説明する。被検者がマッサージを受けると、全身から心臓に戻る循環血液量が増加する。心臓に戻る循環血液量が増加すると、心臓から全身に送出される１拍当たりの血液の拍出量（ＳＶ：Stroke Volume）が増加する。ＳＶが増加すると、スターリングの法則により、被検者の脳は、副交感神経を亢進させる。副交感神経が亢進すると、末梢血管が拡張し、心拍数（ＨＲ：Heart Rate）が下降する。また、副交感神経が優位になると、被検者の身体においてリラックス状態が実現される。従って、マッサージの効果が表れているか否かは、リラックス状態が実現されているか否かによって判定できる。リラックス状態が実現できているか否かは、血流量の変動により検出できる。制御部２２０は、血流量に関する値（例えばＳＶ及びＨＲ等）を用いて、リラックス状態が実現されているか否かを推定する。
【００５１】
マッサージ装置２００は、以下にさらに詳細に述べられるように、種々の機能を実行するための制御及び処理能力を提供するために、少なくとも１つのプロセッサ２２１を含む。
【００５２】
種々の実施形態によれば、少なくとも１つのプロセッサ２２１は、単一の集積回路（ＩＣ）として、又は複数の通信可能に接続された集積回路ＩＣ及び／又はディスクリート回路（discrete circuits）として実行されてもよい。少なくとも１つのプロセッサ２２１は、種々の既知の技術に従って実行されることが可能である。
【００５３】
１つの実施形態において、プロセッサ２２１は、例えば、関連するメモリに記憶された指示を実行することによって１以上のデータ計算手続又は処理を実行するように構成された１以上の回路又はユニットを含む。他の実施形態において、プロセッサ２２１は、１以上のデータ計算手続き又は処理を実行するように構成されたファームウェア（例えば、ディスクリートロジックコンポーネント）であってもよい。
【００５４】
種々の実施形態によれば、プロセッサ２２１は、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組み合わせを含み、以下に説明される制御部２２０の機能を実行してもよい。
【００５５】
記憶部２３０は、半導体メモリ又は磁気メモリ等で構成されることができる。記憶部２３０は、各種情報又はマッサージ装置２００を動作させるためのプログラム等を記憶する。記憶部２３０は、ワークメモリとしても機能してもよい。記憶部２３０は、例えば、マッサージ部２１０による押圧パターンを複数記憶していてもよい。また、記憶部２３０は、被検者の身体の状態を推定するアプリケーションを実行するためのプログラムを記憶していてよい。
【００５６】
通信部２４０は、測定装置１００と有線通信若しくは無線通信又は有線通信及び無線通信の組み合わせの通信を行うことにより、各種情報の送受信を行う。例えば、通信部２４０は、測定装置１００が測定した被検者の血流に関する情報を、測定装置１００から受信する。
【００５７】
入力部２５０は、被検者からの操作入力を受け付けるものであり、例えば、操作ボタン（操作キー）から構成される。入力部２５０をタッチパネルにより構成し、表示デバイスの一部に被検者からの操作入力を受け付ける操作キーを表示して、被検者によるタッチ操作入力を受け付けてもよい。
【００５８】
報知部２６０は、音、振動、及び画像等で情報を報知する。報知部２６０は、スピーカ、振動子、及び表示デバイスを備えていてもよい。表示デバイスは、例えば液晶ディスプレイ（ＬＣＤ：Liquid Crystal Display）、有機ＥＬディスプレイ（ＯＥＬＤ：Organic Electro-Luminescence Display）、又は無機ＥＬディスプレイ（ＩＥＬＤ：Inorganic Electro-Luminescence Display）等とすることができる。報知部２６０は、例えば身体の状態及びマッサージの効果等を報知する。
【００５９】
本実施形態では、入力部２５０及び報知部２６０は、マッサージ装置２００に備えられるコントロールパネル２０３として実現されるとして、以下説明する。すなわち、本実施形態では、報知部２６０は入力部２５０としての機能も有する。このコントロールパネル２０３は、マッサージチェアとして実現されるマッサージ装置２００から着脱自在であるとしてもよい。
【００６０】
コントロールパネル２０３について、図５を参照して説明する。図５は、本実施形態のマッサージ装置２００に備えられるコントロールパネル２０３の概略正面図である。図５に示されるように、コントロールパネル２０３は、報知部２６０としてのディスプレイと、入力キー２５０ａ、２５０ｂ及び２５０ｃにより構成される入力部２５０とを備える。なお、報知部２６０は、タッチパネルディスプレイであり、このタッチパネルディスプレイに表示される各キーを入力することにより情報の選択又は入力が可能である。報知部２６０は、タッチパネルディスプレイでないディスプレイでもよい。報知部２６０としてのディスプレイには、ユーザに通知する情報、メニュー等が画像により表示される。なお、報知部２６０は、画像と共に又は画像に代えて、スピーカを用いて音を出力したり、バイブレータを用いて振動を出力したりする等を適宜組み合わせて、ユーザに情報を通知するとしてもよい。
【００６１】
次に、図６を参照しながら、図１のマッサージ装置２００による推定処理の一例について説明する。図６に示すフローは、例えば被検者が、推定処理を実行させるアプリケーションを起動した場合に開始される。
【００６２】
マッサージ装置２００は、被検者によるログイン操作を受け付ける（ステップＳ１０１）。図７は、報知部２６０に表示されるログイン操作の受付画面の一例を示す図である。図７に一例として示すように、ログイン操作の受付画面には、被検者のアカウントを特定するためのユーザ名を選択させる指示と、予め登録されたユーザ名とがボタン形式で選択可能に表示される。被検者は、自分のアカウントに対応するユーザ名が記載されたボタンを選択することにより、ログインを行う。マッサージ装置２００は、ログイン時に例えばパスワードの入力を要求する画面を表示して、被検者にパスワードを入力させる等の、不正なログインを防止するための処理を実行してもよい。マッサージ装置２００は、ログイン操作を受け付けることにより、ログインされたアカウントの被検者に関する情報及び履歴情報を読み込むことができる。被検者に関する情報は、例えば、年齢及び性別等を含んでよい。履歴情報は、例えば、当該アカウントのログイン状態において過去に行ったマッサージの内容、マッサージを行った時間、マッサージを行った部位、及びマッサージの効果等を含んでよい。
【００６３】
ログイン操作の受付画面には、アカウントを作成せずに一時的に推定処理を実行させるためのボタン（図７の「ゲストユーザ」ボタン）と、アカウントを新たに作成するためのボタン（図７の「ユーザ追加」ボタン）とが表示されてもよい。図８は、図７に示すログイン操作の受付画面において、アカウントを新たに作成するためのボタンを選択した場合に報知部２６０に表示される、アカウントの作成画面である。図８に一例として示すように、アカウント作成画面には、ユーザの名前と、生年月日と、性別とを入力させる欄が表示される。新たにアカウントを作成しようとする被検者は、アカウント作成画面の入力欄に情報を入力し、「登録」ボタンを選択する。「登録」ボタンの選択に応じて、マッサージ装置２００は、入力欄に必要な情報が入力されている場合には、新たなアカウントを作成する。マッサージ装置２００は、新たに作成されたアカウントの情報を、記憶部２３０に記憶してよい。
【００６４】
再び図６を参照すると、マッサージ装置２００は、被検者によるログイン操作を受け付けると、マッサージのメニューの入力を受け付ける（ステップＳ１０２）。具体的には、マッサージ装置２００は、マッサージのメニューを選択させるための画面（マッサージメニュー選択画面）を表示する（ステップＳ１０２）。図９は、マッサージメニュー選択画面の一例を示す図である。マッサージメニュー選択画面には、マッサージを行う部位（例えば、全身、肩、腰、脚等）を選択するための表示と、選択した部位におけるマッサージのメニュー（パターン）とが表示される。被検者は、マッサージメニュー選択画面において、マッサージを行う部位と、マッサージのパターンとを選択できる。被検者による選択に基づき、マッサージ装置２００は、マッサージメニューの入力を受け付ける。
【００６５】
マッサージ装置２００は、被検者から体調の入力を受け付ける（ステップＳ１０３）。マッサージ装置２００は、体調の入力を受け付ける画面（体調入力画面）を表示し、被検者に入力させることにより、体調の入力を受け付けることができる。図１０は、体調入力画面の一例を示す図である。図１０に一例として示すように、体調入力画面は、体調に関する項目をチェックボックス形式で選択させるものであってよい。体調入力画面は、入力を確定させるボタン（図１０の「ＯＫ」ボタン）も表示してよい。被検者は、体調に関する項目のうち、該当すると感じる項目にチェックを入れ、「ＯＫ」ボタンを選択することにより、体調を入力できる。ただし、体調入力画面は、他の形式で入力させるものであってもよい。入力された体調に関する情報は、例えば日時と対応付けて記憶部２３０に記憶されてよい。
【００６６】
マッサージ装置２００は、被検者の血圧及び体重の入力を受け付ける（ステップＳ１０４）。図１１は、血圧及び体重の入力を受け付ける画面（血圧及び体重入力画面）の一例を示す図である。図１１に一例として示すように、血圧及び体重入力画面は、被検者の最高血圧及び最低血圧と、体重とを入力する欄を含む。被検者は、例えば公知の血圧計及び体重計を用いて、血圧及び体重を測定し、測定した結果を入力部２５０から入力することができる。被検者が、マッサージ装置２００と通信可能な血圧計及び体重計を用いて血圧及び体重を測定した場合には、マッサージ装置２００は、当該血圧計及び体重計から取得した血圧及び体重を、自動的に入力してもよい。マッサージ装置２００は、入力された血圧及び体重を記憶部２３０に記憶してよい。
【００６７】
マッサージ装置２００は、測定装置１００との通信接続を確立する（ステップＳ１０５）。マッサージ装置２００は、例えばＢｌｕｅｔｏｏｔｈ（登録商標）により測定装置１００と接続される。マッサージ装置２００は、例えば接続可能な測定装置１００の候補が複数ある場合に、図１２に一例として示すように、接続する測定装置１００を選択させる画面を報知部２６０に表示する。この場合、マッサージ装置２００は、被検者による操作入力により選択された測定装置１００と通信接続を確立する。
【００６８】
被検者は、マッサージ装置２００と通信接続が確立された測定装置１００を装着する。被検者は、マッサージ装置２００の入力部２５０から、測定装置１００による測定を開始させる所定の操作入力を行う。マッサージ装置２００は、測定開始の入力を受け付ける（ステップＳ１０６）。
【００６９】
マッサージ装置２００は、測定開始の入力を受け付けると、被検者の血流に関する情報の測定を開始させる制御信号を、測定装置１００に送信する（ステップＳ１０７）。測定装置１００は、マッサージ装置２００から制御信号を受信すると、測定部１６０による血流に関する情報の測定を開始する。測定装置１００は、測定した血流に関する情報を、通信部１９０からマッサージ装置２００に送信する。
【００７０】
マッサージ装置２００は、通信部２４０を介して、測定装置１００が測定した血流に関する情報を取得する（ステップＳ１０８）。このときにマッサージ装置２００が取得する血流に関する情報は、被検者がマッサージを受ける前の血流に関する情報である。マッサージ装置２００は、ステップＳ１０８の後、マッサージ装置２００によるマッサージが終了するまで、血流に関する情報を継続的に取得してよい。
【００７１】
マッサージ装置２００は、取得した血流に関する情報を報知部２６０に表示する（ステップＳ１０９）。図１３は、ステップＳ１０９において報知部２６０に表示される画面の一例を示す図である。図１３において、横軸は時間を、縦軸は血流量を示す。報知部２６０には、血流に関する情報として、例えば図１３に示すような、模式的な血流の波形が示される。例えば報知部２６０に表示される波形の振幅又は周期が安定していない場合には、測定部１６０が適切に被検部位に接触していない可能性がある。被検者は、報知部２６０に表示される波形を見ながら、測定装置１００の装着状態を調整することができる。
【００７２】
測定装置１００が適切に装着されているか否かは、マッサージ装置２００が測定装置１００から取得した血流に関する情報に基づいて判定してもよい。マッサージ装置２００は、取得した血流に関する情報に基づいて生成される血流量の波形の振幅又は周期が安定していない場合に、測定装置１００が適切に装着されていないと判断できる。マッサージ装置２００は、例えば閾値を設けたり、履歴情報を参照したりして、血流量の波形の振幅又は周期が安定しているか否かを判定できる。マッサージ装置２００は、測定装置１００が適切に装着されていないと判断した場合、その旨を報知部２６０から報知してよい。マッサージ装置２００は、測定装置１００が適切に装着されている場合に、その旨を報知部２６０から報知してもよい。
【００７３】
マッサージ装置２００は、測定装置１００が適切に装着されると、マッサージ開始前における血流に関する情報を、報知部２６０に表示する（ステップＳ１１０）。マッサージ装置２００は、例えば、測定装置１００が適切に装着されたことを上述の方法で判定した場合にステップＳ１１０を実行してもよく、被検者からの所定の操作入力に基づいてステップＳ１１０を実行してもよい。図１４は、ステップＳ１１０において報知部２６０に表示される画面の一例を示す図である。図１４において、横軸は時間を、縦軸は血流量を示す。図１４は、グラフの視認性向上のため図１３に示される血流に比べて縮小した血流のグラフとなっている。報知部２６０には、血流に関する情報として、例えば図１４に示すような、模式的な血流の波形が示される。図１４に一例として示すように、報知部２６０には、例えば血流の波形に基づいて算出される心拍数が表示されてもよい。図１４に一例として示すように、報知部２６０には、例えば被検者のリラックス度に関する指標が表示されてもよい。リラックス度に関する指標は、被検者の身体の状態、すなわちリラックス状態を示す。リラックス度に関する指標は、例えば血流に関する情報に基づいて算出される心拍変動に基づき、公知の方法を用いて、数値として生成される。ここでのリラックス度は、交感神経と副交感神経のバランスを意味し、例えば交感神経が優位であるほどリラックス度の数値が低く、副交感神経が優位であるほどリラックス度の数値が高くなる。リラックス度の数値が高いほど、被検者はリラックスした状態となっている。
【００７４】
マッサージ装置２００は、マッサージ部２１０を駆動し、マッサージを実行（開始）する（ステップＳ１１１）。マッサージ装置２００は、例えばステップＳ１１０において報知部２６０に表示される「マッサージ開始」ボタンを被検者が選択する操作を行った場合に、マッサージを開始してもよい。マッサージ装置２００は、例えばステップＳ１１０における表示を開始してから所定時間経過後に自動的にマッサージを開始してもよい。マッサージ装置２００は、例えば所定の部位を所定のパターンでマッサージを行う。マッサージ装置２００は、例えばステップＳ１０２において入力を受け付けた内容のパターンでマッサージを行う。
【００７５】
マッサージ装置２００は、マッサージ装置２００によるマッサージ中も、血流に関する情報を測定装置１００から取得する。マッサージ装置２００は、マッサージ中に取得した血流に関する情報を報知部２６０に表示する（ステップＳ１１２）。図１５は、ステップＳ１１２において報知部２６０に表示される画面の一例を示す図である。報知部２６０に表示される内容については、上述した図１４と同様であるため、ここでは詳細な説明を省略する。
【００７６】
マッサージ装置２００は、マッサージを停止する（ステップＳ１１３）。マッサージ装置２００は、例えば、マッサージを開始してから所定時間（例えば１５分）経過後に、マッサージを停止してよい。マッサージ装置２００は、例えばステップＳ１１２において報知部２６０に表示される「マッサージ終了」ボタンを被検者が選択する操作を行った場合に、マッサージを停止してもよい。
【００７７】
マッサージ装置２００は、血流に関する情報の測定を停止させる制御信号を、測定装置１００に送信する（ステップＳ１１４）。測定装置１００は、制御信号を受信すると、測定部１６０による血流に関する情報の測定を停止する。
【００７８】
マッサージ装置２００は、マッサージ終了後における、被検者の血圧の入力を受け付ける（ステップＳ１１５）。図１６は、血圧の入力を受け付ける画面の一例を示す図である。血圧の入力方法は、例えばステップＳ１０４で説明した方法と同様であってよい。マッサージ装置２００は、入力された血圧を記憶部２３０に記憶してよい。マッサージ装置２００は、ステップＳ１０４で入力されたマッサージ前の血圧と、ステップＳ１１５で入力されたマッサージ後の血圧とを比較してもよい。
【００７９】
マッサージ装置２００は、被検者からマッサージの評価の入力を受け付ける（ステップＳ１１５）。マッサージ装置２００は、マッサージの評価の入力を受け付ける画面（評価入力画面）を表示し、被検者に入力させることにより、マッサージの評価の入力を受け付けることができる。図１７は、評価入力画面の一例を示す図である。図１７に一例として示すように、評価入力画面は、マッサージの評価に関する項目をチェックボックス及びラジオボタン形式で選択させるものであってよい。評価入力画面は、入力を確定させるボタン（図１７の「ＯＫ」ボタン）も表示してよい。被検者は、評価に関する項目のうち、該当すると感じる項目にチェックを入れ、ラジオボタンの該当する項目を選択した上で、「ＯＫ」ボタンを選択することにより、マッサージの評価を入力できる。ただし、評価入力画面は、他の形式で入力させるものであってもよい。入力された評価に関する情報は、例えばマッサージの内容と対応付けて記憶部２３０に記憶されてよい。
【００８０】
マッサージ装置２００は、被検者の身体の状態に基づいてマッサージの効果を推定する（ステップＳ１１６）。
【００８１】
マッサージ装置２００は、推定されたマッサージの結果を報知部２６０に表示する（ステップＳ１１７）。マッサージの結果は、ステップＳ１１６で推定したマッサージの効果に関する情報を含んでよい。報知部２６０に表示されるマッサージの結果の画面の例について、図１８から図２０を参照して説明する。マッサージ装置２００は、図１８から図２０に示す画面のいずれか１つを結果として表示してもよく、任意の２つ以上の組合せを結果として表示してもよい。
【００８２】
例えば、マッサージ装置２００は、図１８に一例として示す画面を、報知部２６０に表示してもよい。図１８に示す例では、マッサージ中における被検者の心拍数、血流及びリラックス度の変化が示されている。マッサージ中における心拍数、血流及びリラックス度は、制御部２２０により、血流に関する情報に基づいて算出される。心拍数、血流及びリラックス度の変化は、例えば具体的な数値で示されてもよく、上昇又は下降している等の傾向として示されてもよい。なお、マッサージ中における心拍数、血流及びリラックス度は、複数の区分を用いて示されてもよい。例えば、マッサージ装置２００が３段階の区分（例えば、高、中及び低等）により、心拍数、血流及びリラックス度を示す場合、時間経過に応じた心拍数、血流及びリラックス度が３段階のうち、どの段階にあるかを示してもよい。また、結果を示す画面には、例えば図１８に示すように、マッサージ前とマッサージ後との血圧（最高血圧及び最低血圧）の値が示されてもよい。図１８に示す表示により、被検者は、時間経過に伴う身体の状態の変化を知ることができる。
【００８３】
例えば、マッサージ装置２００は、図１９に一例として示す画面を、報知部２６０に表示してもよい。図１９に示す例では、マッサージ中における被検者の血行状態の時間変化が示されている。「血行状態」として示されるグラフは、例えば血流量の変化又はリラックス状態を示す。血行状態のグラフが上昇している箇所は、マッサージによって血行が良くなったことを意味する。マッサージ装置２００は、例えば図１９に示すように、血行状態のグラフが上昇している箇所を強調して表示してよい。また、結果を示す画面には、例えば図１９に示すように、マッサージの効果が高かったマッサージのパターンを示してもよい。マッサージの効果が高かったマッサージのパターンは、例えば、血行状態のグラフが上昇している箇所で実行したマッサージのパターンである。マッサージ装置２００は、マッサージの効果が高かったマッサージのパターンを、血行状態のグラフが上昇している箇所に対応付けて表示してもよい。
【００８４】
つまり、マッサージ装置２００の制御部２２０は、記憶部２３０に記憶されているマッサージ開始後の時間経過と、時間経過に伴うマッサージの部位及びマッサージのパターンと、時間経過に伴う血流測定結果とをマッチングさせる。そして、制御部２２０は、マッサージの部位及びマッサージのパターンごとに血流の状態を把握する。これにより、制御部２２０は、血流の状態から、マッサージの部位及びマッサージのパターンごとにマッサージの効果が高かったマッサージのパターンを推定する。
【００８５】
図１９に示す表示により、被検者は、時間経過に伴う身体の状態の変化を知ることができる。また、図１９に示す表示により、被検者は、リラックス状態を改善するマッサージのパターンを知ることができる。
【００８６】
例えば、マッサージ装置２００は、図２０に一例として示す画面を、報知部２６０に表示してもよい。図２０に示す例では、人体を模式的に示した絵において、部位ごとに、マッサージの内容と、マッサージの効果とが表示されている。図２０に示す例では、部位ごとにマッサージの効果が示される。図２０に示す例では、マッサージの効果が３段階の数値の区分により示されている。ただし、マッサージの効果の表示はこれに限られない。例えば、マッサージの効果は、３段階以外の複数段階で表示されてもよい。また、例えば、マッサージの効果は、数値以外の文字、記号、色若しくはその他の区別可能な画像表示又はこれらの任意の組み合わせにより区分が表示されてもよい。また、図２０に示す例では、部位ごとに行ったマッサージのパターンが表示される。図２０に示す表示により、被検者は、部位ごとのマッサージの効果を知ることができる。
【００８７】
マッサージ装置２００は、マッサージの結果を記憶部２３０に記憶してよい。マッサージ装置２００は、図１８から図２０に示したマッサージの効果の表示を記憶部２３０に記憶してもよい。
【００８８】
被検者は、例えばマッサージ装置２００の記憶部２３０に記憶された、過去に実施したマッサージの内容及びその結果を、履歴情報として閲覧できる。図２１は、被検者による所定の操作入力により報知部２６０に表示される、履歴情報を選択するための画面の一例を示す図である。図２１に示すように、履歴情報を選択するための画面として、マッサージを行った日時が表示される。被検者は、いずれかの日時を選択することにより、選択した日時に行ったマッサージの内容及び結果（例えば図１８から図２０に示す画面）を閲覧できる。これにより、被検者は、過去に行ったマッサージ内容及びその効果を確認することができる。履歴情報は、マッサージを行った日時における被検者の血圧及び体重に関する情報を含んでいてもよい。履歴情報は、例えば図１０及び図１７等に示すように、マッサージを行う前後で被検者が入力した情報を含んでいてもよい。
【００８９】
ここで、上記第１の実施形態の推定システム１の制御手順について図２２を参照して説明する。図２２は、第１の実施形態の推定システム１による制御手順の一例を示すシーケンス図である。
【００９０】
まず、マッサージ装置２００は、図６のステップＳ１０３及びステップＳ１０４で説明したように、例えば被検者の体調、血圧及び体重等の各種情報の入力を受け付ける（ステップＳ２０１）。
【００９１】
マッサージ装置２００は、図６のステップＳ１０５で説明したように、測定装置１００との間で、通信を確立する（ステップＳ２０２）。
【００９２】
マッサージ装置２００は、図６のステップＳ１０６で説明したように、血流に関する情報の測定開始の入力を受け付ける（ステップＳ２０３）。
【００９３】
マッサージ装置２００は、図６のステップＳ１０７で説明したように、血流に関する情報の測定を開始させる制御信号を、測定装置１００に送信する（ステップＳ２０４）。
【００９４】
測定装置１００は、制御信号を受信すると、測定部１６０による測定を開始する（ステップＳ２０５）。
【００９５】
測定装置１００は、測定部１６０により測定した血流に関する情報を、マッサージ装置２００に送信する（ステップＳ２０６）。
【００９６】
マッサージ装置２００は、図６のステップＳ１０９及びステップＳ１１０で説明したように、測定装置１００から取得した血流に関する情報を報知部２６０に表示する（ステップＳ２０７）。
【００９７】
マッサージ装置２００は、図６のステップＳ１１１で説明したように、マッサージ部２１０によるマッサージを開始する（ステップＳ２０８）。マッサージ開始後においても、測定装置１００は、ステップＳ１０５及びステップＳ１０６を継続することにより、血流に関する情報を測定して、マッサージ装置２００に送信してよい。
【００９８】
マッサージ装置２００は、例えば１セットのマッサージが終了すると、マッサージ部２１０によるマッサージを停止する（ステップＳ２０９）。
【００９９】
マッサージ装置２００は、図６のステップＳ１１４で説明したように、血流に関する情報の測定を停止させる制御信号を、測定装置１００に送信する（ステップＳ２１０）。
【０１００】
測定装置１００は、制御信号を受信すると、測定部１６０による測定を終了（停止）する（ステップＳ２１１）。このとき、測定装置１００と、マッサージ装置２００とは、通信接続を停止してもよい。
【０１０１】
マッサージ装置２００は、図６のステップＳ１１５で説明したように、血圧の入力を受け付ける（ステップＳ２１２）。
【０１０２】
マッサージ装置２００は、図６のステップＳ１１６で説明したように、血流に関する情報に基づいて、マッサージの効果を推定する（ステップＳ２１３）。
【０１０３】
マッサージ装置２００は、図６のステップＳ１１７で説明したように、マッサージの結果を報知部２６０に表示する（ステップＳ２１４）。
【０１０４】
このように、本実施形態に係る推定システム１によれば、測定装置１００が被検者の頭部において血流に関する情報を測定する。マッサージ装置２００は、被検者に対するマッサージを行うとともに、測定装置１００から取得した血流に関する情報に基づいて、被検者の身体の状態を推定する。そのため、本実施形態に係る推定システム１によれば、測定装置１００から取得した血流に関する情報に基づいて、被検者の身体の状態を適切に推定することができる。これにより、本実施形態に係る推定システム１によれば、推定された被検者の身体の状態からマッサージの効果を適切に推定することができる。
【０１０５】
また、身体の状態の推定に用いられる血流に関する情報は、被検者の頭部において測定されたものである。頭部の血管は、例えば指等の血管と比較して、血管収縮が発生しにくい。そのため、測定装置１００により測定される血流に関する情報は、指等において取得される血流に関する情報と比較して、精度が高い。従って、本実施形態によれば、頭部において測定された血流に関する情報に基づいて推定される、身体の状態の推定精度も高くなる。このようにして、身体の状態の推定精度が向上する。耳珠又は耳甲介は、血流が安定しているため、被検部位が耳珠又は耳甲介である場合には、さらに身体の状態の推定精度が向上し得る。
【０１０６】
マッサージ装置２００は、身体の状態に基づいて、マッサージの効果を推定するため、マッサージの効果の推定精度も高まる。マッサージ装置２００は、マッサージの効果を報知部２６０に表示する。このようにして、マッサージ装置２００は、マッサージの効果を可視化できる。マッサージの効果の可視化により、被検者は、より高い精度で推定されたマッサージの効果を知ることができる。
【０１０７】
上記第１の実施形態では、マッサージ装置２００が身体の状態に基づいてマッサージ効果を推定すると説明した。しかしながら、身体の状態は他の装置により推定されてもよい。例えばマッサージ装置２００と通信可能に端末装置が接続されている場合、当該端末装置が、血流に関する情報に基づいて、身体の状態を推定してもよい。
【０１０８】
また、例えば、上記第１の実施形態では、被検者は、マッサージ装置２００が備えるコントロールパネル２０３において操作入力を行うと説明した。しかしながら、例えば、被検者は、マッサージ装置２００と通信可能に接続された端末装置を用いて、操作入力を行ってもよい。端末装置は、例えば携帯電話機又はタブレット端末等であってよい。この場合、マッサージ装置２００は、被検者が端末装置に対して行った操作入力の内容に基づき、例えばマッサージ部２１０の制御を行う等の処理を実行できる。この場合、例えばマッサージの結果等は、端末装置が有する表示デバイスに表示されてもよい。
【０１０９】
（第２の実施形態）
被検者が、マッサージ装置２００と通信可能に接続された端末装置を用いて、操作入力を行う第２の実施形態について図２３を参照して説明する。図２３は、第２の実施形態に係る推定システム１ａの概略を示す構成図である。第２の実施形態の説明において、第１の実施形態と同じ点については、適宜説明を省略する。
【０１１０】
図２３に示されるように、第２の実施形態の推定システム１ａは、測定装置１００と、マッサージ装置２００と、携帯端末としての携帯電話３００とを含む。測定装置１００と、マッサージ装置２００と、携帯電話３００とは、互いにネットワークにより接続されている。測定装置１００と、マッサージ装置２００と、携帯電話３００との間の接続は有線、無線又は有線と無線との組み合わせのいずれであってもよい。測定装置１００は、測定したデータを携帯電話３００に送信する。携帯電話３００は、上記第１の実施形態で示した各種表示画面を表示すると共に、入力された内容をマッサージ装置２００に送信する。
【０１１１】
図２４は、図２３の推定システム１ａの概略構成を示す機能ブロック図である。図２４において通信部１９０と通信部２４０と通信部３４０との間は実線により接続されているが、この実線は、有線、無線又は有線と無線の組み合わせの通信回線により測定装置１００と、マッサージ装置２００と、携帯電話３００とが接続されることを示している。本実施形態では、通信部１９０と通信部２４０と通信部３４０との間は無線により接続されているとする。
【０１１２】
ここで、図２３に示される携帯電話３００の構成について図２４を参照して説明する。図２３に示される測定装置１００及びマッサージ装置２００の構成は、図２に示したそれぞれの構成例と同様であるため説明を省略する。つまり、図２３に示される測定装置１００及びマッサージ装置２００の各機能ブロックのうち、図２に示した機能ブロックと同じ番号の部材は、下記説明する携帯電話３００に関係する処理を除いて、図２に示した各部材と同様の動作を行う。例えば、本実施形態において、身体の状態の推定は、後述するように携帯電話３００が実行するため、マッサージ装置２００が実行しなくてよい。
【０１１３】
本実施形態において、測定装置１００は、測定した血流に関する情報を、通信部１９０を介して、携帯電話３００に送信する。
【０１１４】
本実施形態において、マッサージ装置２００は、携帯電話３００から受信した制御信号に基づいて、マッサージ部２１０を駆動してマッサージを行う。また、マッサージ装置２００は、マッサージ部２１０で実施したマッサージの情報（実施情報）を、携帯電話３００に送信する。
【０１１５】
携帯電話３００は、制御部３２０と、記憶部３３０と、通信部３４０と、入力部３５０と、報知部３６０とを備える。携帯電話３００は、例えば、スマートホンである。ここで、携帯電話３００として、フィーチャーホン、タブレット、ＰＣ、ＰＤＡ等でもよい。また、電話機能を有していない電子機器、例えば、携帯ゲーム機等を携帯電話３００の代わりに利用するとしてもよい。
【０１１６】
制御部３２０は、携帯電話３００の各機能ブロックをはじめとして、携帯電話３００の全体を制御及び管理するプロセッサである。制御部３２０は、制御手順を規定したプログラムを実行するＣＰＵ等のプロセッサで構成される。このようなプログラムは、例えば記憶部３３０、又は携帯電話３００に接続された外部の記憶媒体等に格納される。
【０１１７】
制御部３２０は、入力された情報に基づいてマッサージ部２１０を制御（駆動）する信号をマッサージ装置２００に送信する。制御部３２０は、マッサージ装置２００から送信された、マッサージ開始後の時間経過と、時間経過に伴うマッサージの部位及びマッサージのパターンとを、記憶部３３０に記憶させる。また、制御部３２０は、測定装置１００から送信された被検者の血流に関する情報を記憶部３３０に記憶する。
【０１１８】
制御部３２０は、通信部３４０を介して測定装置１００から取得した血流に関する情報に基づいて、被検者の身体の状態を推定する。携帯電話３００には、例えば、血流に関する情報に基づいて身体の状態を推定するためのアプリケーションが予めインストールされていてよい。制御部３２０は、当該アプリケーションを実行することにより、身体の状態の推定処理を実行する。
【０１１９】
制御部３２０は、具体的には、心臓からの拍出量に関する値及び心拍数を算出する。身体の状態は、心臓からの拍出量に関する値及び心拍数に基づいて推定される。身体の状態は、例えば身体のリラックス状態である。制御部３２０は、例えば被検者がマッサージを受ける前後、及びマッサージ中における身体の状態を推定することにより、マッサージの効果を推定してもよい。制御部３２０は、血流量に関する値を用いて、リラックス状態が実現されているか否かを推定する。つまり、マッサージの効果が表れているか否かは、リラックス状態が実現されているか否かによって判定できる。リラックス状態が実現できているか否かは、血流量の変動により検出できる。制御部３２０は、血流量に関する値を用いて、リラックス状態が実現されているか否かを推定する。
【０１２０】
携帯電話３００は、以下にさらに詳細に述べられるように、種々の機能を実行するための制御及び処理能力を提供するために、少なくとも１つのプロセッサ３２１を含む。
【０１２１】
種々の実施形態によれば、少なくとも１つのプロセッサ３２１は、単一の集積回路（ＩＣ）として、又は複数の通信可能に接続された集積回路ＩＣ及び／又はディスクリート回路（discrete circuits）として実行されてもよい。少なくとも１つのプロセッサ３２１は、種々の既知の技術に従って実行されることが可能である。
【０１２２】
１つの実施形態において、プロセッサ３２１は、例えば、関連するメモリに記憶された指示を実行することによって１以上のデータ計算手続又は処理を実行するように構成された１以上の回路又はユニットを含む。他の実施形態において、プロセッサ３２１は、１以上のデータ計算手続き又は処理を実行するように構成されたファームウェア（例えば、ディスクリートロジックコンポーネント）であってもよい。
【０１２３】
種々の実施形態によれば、プロセッサ３２１は、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組み合わせを含み、以下に説明される制御部３２０の機能を実行してもよい。
【０１２４】
記憶部３３０は、半導体メモリ又は磁気メモリ等で構成されることができる。記憶部３３０は、各種情報又は携帯電話３００を動作させるためのプログラム等を記憶する。記憶部３３０は、ワークメモリとしても機能してもよい。記憶部３３０は、例えば、マッサージ部２１０による押圧パターンを複数記憶していてもよい。また、記憶部３３０は、被検者の身体の状態を推定するアプリケーションを実行するためのプログラムを記憶していてよい。
【０１２５】
通信部３４０は、測定装置１００及びマッサージ装置２００と有線通信若しくは無線通信又は有線通信及び無線通信の組み合わせの通信を行うことにより、各種情報の送受信を行う。例えば、通信部３４０は、測定装置１００が測定した被検者の血流に関する情報を、測定装置１００から受信する。また、通信部３４０は、マッサージ装置２００に対して各種マッサージ制御のための情報を送信する。また通信部３４０は、マッサージ装置２００からマッサージの実施情報、例えばどのようなタイミングでどのようなマッサージを行ったかに関する情報を受信する。
【０１２６】
入力部３５０は、被検者からの操作入力を受け付けるものであり、例えば、操作ボタン（操作キー）から構成される。入力部３５０をタッチパネルにより構成し、表示デバイスの一部に被検者からの操作入力を受け付ける操作キーを表示して、被検者によるタッチ操作入力を受け付けてもよい。
【０１２７】
報知部３６０は、音、振動、及び画像等で情報を報知する。報知部３６０は、スピーカ、振動子、及び表示デバイスを備えていてもよい。表示デバイスは、例えば液晶ディスプレイ（ＬＣＤ：Liquid Crystal Display）、有機ＥＬディスプレイ（ＯＥＬＤ：Organic Electro-Luminescence Display）、又は無機ＥＬディスプレイ（ＩＥＬＤ：Inorganic Electro-Luminescence Display）等とすることができる。報知部３６０は、例えば身体の状態及びマッサージの効果等を報知する。
【０１２８】
次に、本開示の第２の実施形態に係る推定システム１ａの制御手順について、図２５を参照して説明する。図２５は、本開示の第２実施形態に係る推定システム１ａによる制御手順の一例を示すシーケンス図である。
【０１２９】
まず、携帯電話３００は、例えば被検者の体調、血圧及び体重等の各種情報の入力を受け付ける（ステップＳ３０１）。
【０１３０】
携帯電話３００は、測定装置１００との間で、通信を確立する（ステップＳ３０２）。
【０１３１】
また、携帯電話３００は、マッサージ装置２００との間で、通信を確立する（ステップＳ３０３）。
【０１３２】
ステップＳ３０２及びステップＳ３０３における通信の確立方法は、例えば、第１実施形態における測定装置１００とマッサージ装置２００とにおける通信の確立方法と同様であってよい。
【０１３３】
携帯電話３００は、血流に関する情報の測定開始の入力を受け付ける（ステップＳ３０４）。
【０１３４】
携帯電話３００は、血流に関する情報の測定を開始させる制御信号を、測定装置１００に送信する（ステップＳ３０５）。
【０１３５】
測定装置１００は、制御信号を受信すると、測定部１６０による測定を開始する（ステップＳ３０６）。
【０１３６】
測定装置１００は、測定部１６０により測定した血流に関する情報を、携帯電話３００に送信する（ステップＳ３０７）。
【０１３７】
携帯電話３００は、測定装置１００から血流に関する情報を取得すると、血流に関する情報を報知部３６０に表示する（ステップＳ３０８）。
【０１３８】
そして、携帯電話３００は、マッサージを開始させる制御信号を、マッサージ装置２００に送信する（ステップＳ３０９）。
【０１３９】
マッサージ装置２００は、制御信号を受信すると、マッサージ部２１０によるマッサージを開始する（ステップＳ３１０）。マッサージ開始後においても、測定装置１００は、ステップＳ２０６及びステップＳ２０７を継続することにより、血流に関する情報を測定して、携帯電話３００に送信してよい。
【０１４０】
マッサージ装置２００は、例えば１セットのマッサージが終了すると、マッサージ部２１０によるマッサージを停止する（ステップＳ３１１）。
【０１４１】
マッサージ装置２００は、マッサージを停止すると、マッサージを停止したことを通知する信号（マッサージ停止通知）を携帯電話３００に送信する（ステップＳ３１２）。マッサージ停止通知は、マッサージの実施情報を含んでいてもよい。なお、マッサージ装置２００は、マッサージを行っている間に、マッサージの実施情報を携帯電話３００に送信してもよい。
【０１４２】
携帯電話３００は、マッサージ停止通知を受信すると、血流に関する情報の測定を停止させる制御信号を、測定装置１００に送信する（ステップＳ３１３）。
【０１４３】
測定装置１００は、制御信号を受信すると、測定部１６０による測定を終了（停止）する（ステップＳ３１４）。携帯電話３００は、測定装置１００及びマッサージ装置２００との通信接続を停止してもよい。
【０１４４】
携帯電話３００は、血圧の入力を受け付ける（ステップＳ３１５）。
【０１４５】
携帯電話３００は、取得した血流に関する情報に基づいて、マッサージの効果を推定する（ステップＳ３１６）。
【０１４６】
携帯電話３００は、マッサージの結果を報知部３６０に表示する（ステップＳ３１７）。
【０１４７】
本実施形態に係る推定システム１ａによれば、前述の第１の実施形態の推定システム１と同様の効果を奏する。すなわち、本実施形態に係る推定システム１ａによれば、測定装置１００が被検者の頭部において血流に関する情報を測定する。マッサージ装置２００は、被検者に対するマッサージを行う。そして、携帯電話３００は、測定装置１００から取得した血流に関する情報に基づいて、被検者の身体の状態を推定する。そのため、本実施形態に係る推定システム１ａによれば、測定装置１００から取得した血流に関する情報に基づいて、被検者の身体の状態を適切に推定することができる。これにより、本実施形態に係る推定システム１ａによれば、推定された被検者の身体の状態からマッサージの効果を適切に推定することができる。
【０１４８】
身体の状態の推定に用いられる血流に関する情報は、被検者の頭部において測定されたものである。頭部の血管は、例えば指等の血管と比較して、血管収縮が発生しにくい。そのため、測定装置１００により測定される血流に関する情報は、指等において取得される血流に関する情報と比較して、精度が高い。従って、本実施形態によれば、頭部において測定された血流に関する情報に基づいて推定される、身体の状態の推定精度も高くなる。このようにして、身体の状態の推定精度が向上する。耳珠又は耳甲介は、血流が安定しているため、被検部位が耳珠又は耳甲介である場合には、さらに身体の状態の推定精度が向上し得る。
【０１４９】
（第３の実施形態）
上記各実施形態では、マッサージ装置２００又は携帯電話３００が身体の状態に基づいてマッサージ効果を推定すると説明した。しかしながら、身体の状態は他の装置により推定されてもよい。例えば、測定装置１００とマッサージ装置２００と通信可能にサーバが接続されている場合、当該サーバが、血流に関する情報に基づいて、身体の状態を推定してもよい。
【０１５０】
ここで、サーバが、血流に関する情報に基づいて身体の状態に基づいてマッサージ効果を推定する推定システム１ｂについて以下説明する。図２６は、第３の実施形態に係る推定システム１ｂの概略を示す構成図である。第３の実施形態の説明において、第１の実施形態と同じ点については、適宜説明を省略する。
【０１５１】
図２６に示されるように、第３の実施形態の推定システム１ｂは、測定装置１００と、マッサージ装置２００と、サーバ４００とを含む。測定装置１００と、マッサージ装置２００と、サーバ４００とは、互いにネットワークにより接続されている。測定装置１００と、マッサージ装置２００と、サーバ４００との間の接続は有線、無線又は有線と無線との組み合わせのいずれであってもよい。本実施形態において、測定装置１００と、マッサージ装置２００と、サーバ４００との間の接続は無線と有線との組み合わせの接続を用いているものとする。
【０１５２】
本実施形態において、測定装置１００は、測定したデータ（血流に関する情報）をサーバ４００に送信する。サーバ４００は、受信した測定装置１００からの情報に基づいてマッサージ効果を推定して、推定結果をマッサージ装置２００に送信する。
【０１５３】
図２７は、図２６の推定システム１ｂの概略構成を示す機能ブロック図である。図２７において通信部１９０と通信部２４０と通信部４４０との間は実線により接続されているが、この実線は、有線、無線又は有線と無線の組み合わせの通信回線により測定装置１００と、マッサージ装置２００と、サーバ４００とが接続されることを示している。本実施形態において、通信部１９０と通信部２４０と通信部４４０との間との間の接続は無線と有線との組み合わせの接続を用いているものとする。
【０１５４】
ここで、図２６に示されるサーバ４００の構成について図２７を参照して説明する。図２７に示される測定装置１００、マッサージ装置２００の構成は、図１に示したそれぞれの構成例と同様であるため説明を省略する。つまり、図２７に示される測定装置１００及びマッサージ装置２００の各機能ブロックのうち、図２に示した機能ブロックと同じ番号の部材は、下記説明するサーバ４００に関係する処理を除いて、図２に示した各部材と同様の動作を行う。
【０１５５】
本実施形態において、測定装置１００は、測定した血流に関する情報を、通信部１９０を介して、サーバ４００に送信する。
【０１５６】
本実施形態において、マッサージ装置２００は、サーバ４００から受信した制御信号に基づいて、マッサージ部２１０を駆動してマッサージを行う。また、マッサージ装置２００は、マッサージ部２１０で実施したマッサージの情報（実施情報）を、サーバ４００に送信する。
【０１５７】
サーバ４００は、制御部４２０と、記憶部４３０と、通信部４４０と、入力部４５０とを備える。サーバ４００は、図２６及び図２７に示される例では１台が図示されているが、複数台であってもよい。すなわち、複数台のサーバが、下記説明するサーバ４００の各機能を別々に処理してもよいし、サーバ４００の各機能が、複数台のサーバで分散処理されるとしてもよい。
【０１５８】
制御部４２０は、サーバ４００の各機能ブロックをはじめとして、サーバ４００の全体を制御及び管理するプロセッサである。制御部４２０は、制御手順を規定したプログラムを実行するＣＰＵ等のプロセッサで構成される。このようなプログラムは、例えば記憶部４３０、又はサーバ４００に接続された外部の記憶媒体等に格納される。
【０１５９】
制御部４２０は、入力された情報に基づいてマッサージ部２１０を制御（駆動）する信号をマッサージ装置２００に送信する。制御部４２０は、マッサージ装置２００から送信された、マッサージ開始後の時間経過と、時間経過に伴うマッサージの部位及びマッサージのパターンとを、記憶部４３０に記憶させる。また、制御部４２０は、測定装置１００から送信された被検者の血流に関する情報を記憶部４３０に記憶する。
【０１６０】
制御部４２０は、通信部４４０を介して測定装置１００から取得した血流に関する情報に基づいて、被検者の身体の状態を推定する。サーバ４００には、例えば、血流に関する情報に基づいて身体の状態を推定するためのアプリケーションが予めインストールされていてよい。制御部４２０は、当該アプリケーションを実行することにより、身体の状態の推定処理を実行する。
【０１６１】
制御部４２０は、具体的には、心臓からの拍出量に関する値及び心拍数を算出する。身体の状態は、心臓からの拍出量に関する値及び心拍数に基づいて推定される。身体の状態は、例えば身体のリラックス状態である。制御部４２０は、例えば被検者がマッサージを受ける前後、及びマッサージ中における身体の状態を推定することにより、マッサージの効果を推定してもよい。制御部４２０は、血流量に関する値を用いて、リラックス状態が実現されているか否かを推定する。つまり、マッサージの効果が表れているか否かは、リラックス状態が実現されているか否かによって判定できる。リラックス状態が実現できているか否かは、血流量の変動により検出できる。制御部４２０は、血流量に関する値を用いて、リラックス状態が実現されているか否かを推定する。
【０１６２】
サーバ４００は、以下にさらに詳細に述べられるように、種々の機能を実行するための制御及び処理能力を提供するために、少なくとも１つのプロセッサ４２１を含む。
【０１６３】
種々の実施形態によれば、少なくとも１つのプロセッサ４２１は、単一の集積回路（ＩＣ）として、又は複数の通信可能に接続された集積回路ＩＣ及び／又はディスクリート回路（discrete circuits）として実行されてもよい。少なくとも１つのプロセッサ４２１は、種々の既知の技術に従って実行されることが可能である。
【０１６４】
１つの実施形態において、プロセッサ４２１は、例えば、関連するメモリに記憶された指示を実行することによって１以上のデータ計算手続又は処理を実行するように構成された１以上の回路又はユニットを含む。他の実施形態において、プロセッサ４２１は、１以上のデータ計算手続き又は処理を実行するように構成されたファームウェア（例えば、ディスクリートロジックコンポーネント）であってもよい。
【０１６５】
種々の実施形態によれば、プロセッサ４２１は、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組み合わせを含み、以下に説明される制御部４２０の機能を実行してもよい。
【０１６６】
記憶部４３０は、半導体メモリ又は磁気メモリ等で構成されることができる。記憶部４３０は、各種情報又はサーバ４００を動作させるためのプログラム等を記憶する。記憶部４３０は、ワークメモリとしても機能してもよい。記憶部４３０は、例えば、マッサージ部２１０による押圧パターンを複数記憶していてもよい。また、記憶部４３０は、被検者の身体の状態を推定するアプリケーションを実行するためのプログラムを記憶していてよい。
【０１６７】
通信部４４０は、測定装置１００及びマッサージ装置２００と有線通信若しくは無線通信又は有線通信及び無線通信の組み合わせの通信を行うことにより、各種情報の送受信を行う。例えば、通信部４４０は、測定装置１００が測定した被検者の血流に関する情報を、測定装置１００から受信する。また、通信部４４０は、マッサージ装置２００に対して各種マッサージ制御のための情報を送信する。また通信部４４０は、マッサージ装置２００からマッサージの実施情報、例えばどのようなタイミングでどのようなマッサージを行ったかに関する情報を受信する。
【０１６８】
入力部４５０は、操作入力を受け付けるものであり、例えば、操作ボタン（操作キー）から構成される。入力部４５０をタッチパネルにより構成し、表示デバイスの一部に被検者からの操作入力を受け付ける操作キーを表示して、被検者によるタッチ操作入力を受け付けてもよい。
【０１６９】
次に、本開示の第３の実施形態に係る推定システム１ｂの制御手順について、図２８を参照して説明する。図２８は、本開示の第３の実施形態に係る推定システム１ｂによる制御手順の一例を示すシーケンス図である。
【０１７０】
まず、マッサージ装置２００は、例えば被検者の体調、血圧及び体重等の各種情報の入力を受け付ける（ステップＳ４０１）。
【０１７１】
マッサージ装置２００は、測定装置１００との間で、通信を確立する（ステップＳ４０２）。
【０１７２】
また、マッサージ装置２００は、サーバ４００との間で、通信を確立する（ステップＳ４０３）。
【０１７３】
マッサージ装置２００は、例えば、第１実施形態における測定装置１００とマッサージ装置２００とにおける通信の確立方法と同様の方法で、ステップＳ４０２及びステップＳ４０３において、通信を確立してよい。
【０１７４】
また、マッサージ装置２００と通信を確立した、測定装置１００及びサーバ４００は、互いに通信を確立する（ステップＳ４０４）。測定装置１００及びサーバ４００は、例えば、マッサージ装置２００から受信した制御信号等に基づいて、通信を確立してよい。
【０１７５】
マッサージ装置２００は、血流に関する情報の測定開始の入力を受け付ける（ステップＳ４０５）。
【０１７６】
マッサージ装置２００は、血流に関する情報の測定を開始させる制御信号を、測定装置１００に送信する（ステップＳ４０６）。
【０１７７】
測定装置１００は、制御信号を受信すると、測定部１６０による測定を開始する（ステップＳ４０７）。
【０１７８】
測定装置１００は、測定部１６０により測定した血流に関する情報を、サーバ４００に送信する（ステップＳ４０８）。測定装置１００は、測定部１６０による測定を停止するまで、ステップＳ４０７及びステップＳ４０８を継続することにより、血流に関する情報を測定して、サーバ４００に送信してよい。
【０１７９】
一方、マッサージ装置２００は、マッサージ部２１０によるマッサージを開始する（ステップＳ４０９）。
【０１８０】
マッサージ装置２００は、マッサージを開始すると、マッサージを開始したことを通知するマッサージ開始通知を送信する（ステップＳ４１０）。マッサージ開始通知により、サーバ４００は、マッサージを開始したタイミングを認識できる。
【０１８１】
マッサージ装置２００は、例えば１セットのマッサージが終了すると、マッサージ部２１０によるマッサージを停止する（ステップＳ４１１）。
【０１８２】
マッサージ装置２００は、マッサージを停止すると、マッサージを停止したことを通知する信号（マッサージ停止通知）をサーバ４００に送信する（ステップＳ４１２）。マッサージ停止通知は、マッサージの実施情報を含んでいてもよい。なお、マッサージ装置２００は、マッサージを行っている間に、マッサージの実施情報をサーバ４００に送信してもよい。マッサージ停止通知により、サーバ４００は、マッサージを終了したタイミングを認識できる。
【０１８３】
サーバ４００は、マッサージ停止通知を受信すると、血流に関する情報の測定を停止させる制御信号を、測定装置１００に送信する（ステップＳ４１３）。
【０１８４】
測定装置１００は、制御信号を受信すると、測定部１６０による測定を終了（停止）する（ステップＳ４１４）。測定装置１００、マッサージ装置２００及びサーバ４００は、互いの通信接続を停止してもよい。
【０１８５】
マッサージ装置２００は、血圧の入力を受け付ける（ステップＳ４１５）。
【０１８６】
一方、サーバ４００は、取得した血流に関する情報に基づいて、マッサージの効果を推定する（ステップＳ４１６）。
【０１８７】
サーバ４００は、ステップＳ４１６におけるマッサージの効果の推定結果を、マッサージ装置２００に送信する（ステップＳ４１７）
【０１８８】
マッサージ装置２００は、マッサージの効果の推定結果を受信すると、マッサージの結果を報知部２６０に表示する（ステップＳ４１８）。
【０１８９】
本実施形態に係る推定システム１ｂによれば、前述の第１の実施形態の推定システムと同様の効果を奏する。つまり、本実施形態に係る推定システム１ｂによれば、測定装置１００が被検者の頭部において血流に関する情報を測定する。マッサージ装置２００は、被検者に対するマッサージを行う。そして、サーバ４００は、測定装置１００から取得した血流に関する情報に基づいて、被検者の身体の状態を推定する。そのため、本実施形態に係る推定システム１ｂによれば、測定装置１００から取得した血流に関する情報に基づいて、被検者の身体の状態を適切に推定することができる。そのため、本実施形態に係る推定システム１ｂによれば、測定装置１００から取得した血流に関する情報に基づいて、被検者の身体の状態を適切に推定することができる。そのため、本実施形態に係る推定システム１ｂによれば、推定された被検者の身体の状態からマッサージの効果を適切に推定することができる。
【０１９０】
身体の状態の推定に用いられる血流に関する情報は、被検者の頭部において測定されたものである。頭部の血管は、例えば指等の血管と比較して、血管収縮が発生しにくい。そのため、測定装置１００により測定される血流に関する情報は、指等において取得される血流に関する情報と比較して、精度が高い。従って、本実施形態によれば、頭部において測定された血流に関する情報に基づいて推定される、身体の状態の推定精度も高くなる。このようにして、身体の状態の推定精度が向上する。耳珠又は耳甲介は、血流が安定しているため、被検部位が耳珠又は耳甲介である場合には、さらに身体の状態の推定精度が向上し得る。
【０１９１】
（第４の実施形態）
上記各実施形態では、測定装置１００として、耳珠において血流を測定する測定装置１００を説明したが、本開示ではこれに限定されるものではない。以下、耳甲介により血流を測定する測定装置を用いた推定システム１ｃについて図面を参照して説明する。
【０１９２】
図２９は、本開示の第４の実施形態に係る推定システム１ｃの概略を示す構成図である。図２９に示すように、推定システム１ｃは、センサユニット１６３及びメインユニット１８５を有する測定装置１６５と、マッサージ装置２００とから構成される。このマッサージ装置２００は、上述の各実施形態で説明したマッサージ装置２００と同様の構成であり、同様の動作を行う。ここでは、マッサージ装置２００の詳細な説明については省略する。
【０１９３】
センサユニット１６３とメインユニット１８５とは、ケーブル１７５により電気的に接続され、互いに情報等の送受信を行う。なお、センサユニット１６３とメインユニット１８５とは無線、又は無線と有線とを組み合わせて接続されるとしてもよい。
【０１９４】
センサユニット１６３は、ユーザの右耳に挿入される部分である右耳部には測定部１６０を備える。測定部１６０は、上述の各実施形態で説明した測定部１６０と同様の構成であり、同様の動作を行う。ただし、本実施形態の測定部１６０は、耳甲介を被検部位として、測定を行う。なお、測定部１６０は、ユーザの左耳に挿入される部分である左耳部に備えられていてもよい。
【０１９５】
図３０は、測定装置１６５の一例を示す外観斜視図である。図３０に示すように、センサユニット１６３は、イヤピース１６７及び１６８を外耳道に挿入可能なイヤホンタイプのセンサユニットである。アーチ状の保持部１１０ａにより、イヤピース１６７を有する右耳部１７３と、イヤピース１６８を有する左耳部１７２とが接続されている。なお、右耳部１７３と左耳部１７２からは、例えばメインユニット１８５から送信された音楽データ等に基づく音が発せられるとしてもよい。
【０１９６】
図３１は、センサユニット１６３の一例を示す外観斜視図である。図３１に示すように、センサユニット１６３の右耳部１７３は、測定部１６０を備える。測定部１６０は、上述の各実施形態で説明した測定部１６０と同様の構成であり、同様の動作を行う。すなわち、図３１に示される測定部１６０は、発光部１６１と受光部１６２とを備える。
【０１９７】
次に、図２９に示される推定システム１ｃの構成について図３２を参照して説明する。図３２は、図２９に示される推定システム１ｃの概略構成を示す機能ブロック図である。図３２に示されるセンサユニット１６３、メインユニット１８５及びマッサージ装置２００の各機能ブロックのうち、図２に示した機能ブロックと同じ番号の部材は、図２に示した各部材と同様の動作を行う。
【０１９８】
図３２に示されるように、センサユニット１６３は、測定部１６０を備える。測定部１６０は、発光部１６１と受光部１６２とを有する。
【０１９９】
また、メインユニット１８５は、制御部１７０と記憶部１８０と通信部１９０とを有する。また、制御部１７０はプロセッサ１７１を備える。通信部１９０と通信部２４０との間は、無線、有線若しくは無線と有線との組み合わせにより接続されているとして良い。本実施形態では、通信部１９０と通信部２４０との間は無線により接続されるものとする。
【０２００】
マッサージ装置２００は、マッサージ部２１０と、制御部２２０と、記憶部２３０と、通信部２４０と、入力部２５０と、報知部２６０とを備える。
【０２０１】
次に、図３３及び図３４を参照して、図２９に示されるセンサユニット１６３のユーザへの装着態様について説明する。図３３は、人間の右耳の概略図であり、図３４は、図２９に示すセンサユニット１６３のユーザの右耳への装着態様を示す概略図である。
【０２０２】
図３４に示す図は、図３３におけるユーザの耳におけるＡ−Ａ線での断面図であり、センサユニット１６３の右耳部１７３を挿入した態様を示す概略図である。
【０２０３】
図３４に示すように、右耳の外耳道にはイヤピース１７３ａが挿入されている。また、耳甲介に測定部１６０が当接している。測定部１６０が耳甲介に当接した状態で、測定部１６０は、耳甲介における血流を測定することができる。
【０２０４】
次に、図３５を参照して、第４の実施形態に係る推定システム１ｃの制御手順について説明する。図３５は、第４の実施形態に係る推定システム１ｃによる制御手順の一例を示すシーケンス図である。
【０２０５】
まず、マッサージ装置２００は、例えば被検者の体調、血圧及び体重等の各種情報の入力を受け付ける（ステップＳ５０１）。
【０２０６】
マッサージ装置２００は、メインユニット１８５との間で、通信を確立する（ステップＳ５０２）。
【０２０７】
マッサージ装置２００は、例えば、第１実施形態における測定装置１００とマッサージ装置２００とにおける通信の確立方法と同様の方法で、ステップＳ５０２において、通信を確立してよい。
【０２０８】
マッサージ装置２００は、血流に関する情報の測定開始の入力を受け付ける（ステップＳ５０３）。
【０２０９】
マッサージ装置２００は、血流に関する情報の測定を開始させる制御信号を、メインユニット１８５に送信する（ステップＳ５０４）。
【０２１０】
メインユニット１８５は、制御信号を受信すると、血流に関する情報の測定を開始させる制御信号を、センサユニット１６３に送信する（ステップＳ５０５）。
【０２１１】
センサユニット１６３は、制御信号を受信すると、測定部１６０による測定を開始する（ステップＳ５０６）。
【０２１２】
センサユニット１６３は、測定部１６０により測定した血流に関する情報を、メインユニット１８５に送信する（ステップＳ５０７）。センサユニット１６３は、測定部１６０による測定を停止するまで、ステップＳ５０６及びステップＳ５０７を継続することにより、血流に関する情報を測定して、メインユニット１８５に送信してよい。
【０２１３】
メインユニット１８５は、血流に関する情報を取得すると、マッサージ装置２００に、血流に関する情報を送信する（ステップＳ５０８）。メインユニット１８５は、ステップＳ５１１の測定停止指示を受信するまで、血流に関する情報の送信を継続してよい。
【０２１４】
マッサージ装置２００は、マッサージ部２１０によるマッサージを開始する（ステップＳ５０９）。
【０２１５】
マッサージ装置２００は、例えば１セットのマッサージが終了すると、マッサージ部２１０によるマッサージを停止する（ステップＳ５１０）。
【０２１６】
マッサージ装置２００は、マッサージを停止すると、血流に関する情報の測定を停止させるための信号（測定停止指示）をメインユニット１８５に送信する（ステップＳ５１１）。
【０２１７】
メインユニット１８５は、測定停止指示を受信すると、血流に関する情報の測定を停止させる制御信号を、センサユニット１６３に送信する（ステップＳ５１２）。
【０２１８】
センサユニット１６３は、制御信号を受信すると、測定部１６０による測定を終了（停止）する（ステップＳ５１３）。
【０２１９】
一方、マッサージ装置２００は、血圧の入力を受け付ける（ステップＳ５１４）。
【０２２０】
マッサージ装置２００は、取得した血流に関する情報に基づいて、マッサージの効果を推定する（ステップＳ５１５）。
【０２２１】
マッサージ装置２００は、マッサージの結果を報知部２６０に表示する（ステップＳ５１６）。
【０２２２】
このように、本開示の第４の実施形態である推定システム１ｃにおいても上述の各実施形態と同様の効果を奏することができる。
【０２２３】
なお、この第４の実施形態では、センサユニット１６３とメインユニット１８５とが別々の筐体であるとして説明したが、これらが１つの筐体に収納されるとしてもよい。また、測定装置１６５のメインユニット１８５が、マッサージ装置２００、携帯電話３００又はサーバ４００に備えられるとしてもよい。
【０２２４】
また、第４の実施形態では、センサユニット１６３の測定結果が、無線、有線、又は、無線及び有線の組み合わせた回線によりマッサージ装置２００に送信されるとしてもよい。
【０２２５】
上記各実施形態において、マッサージ装置２００は、上記説明した情報以外の他の生体情報を記憶及び表示してもよい。例えば、マッサージ装置２００は、被検者の体温を測定する体温測定部（例えば体温計等）を備え、被検者が体温測定部を用いて測定した体温の情報を記憶部２３０に記憶してもよい。マッサージ装置２００は、例えばマッサージ前後における被検者の体温を記憶部２３０に記憶してもよい。マッサージ装置２００は、記憶した体温の情報を報知部に表示してもよい。体温は、生体情報の一例にすぎず、マッサージ装置２００は、他の任意の生体情報を記憶及び表示してもよい。
【０２２６】
上記各実施形態において、マッサージ装置２００は、耳珠又は耳甲介において血流に関する情報を測定すると説明した。しかしながら、マッサージ装置２００は、耳珠及び耳甲介以外の部位で血流に関する情報を測定してもよい。マッサージ装置２００は、高い精度で血流に関する情報を測定可能な任意の頭部の部位において、血流に関する情報を測定してよい。
【０２２７】
上記各実施形態において、マッサージ装置２００は、血流に関する情報に基づいて身体の状態を推定すると説明した。しかしながら、マッサージ装置２００は、他の情報に基づいて身体の状態を推定してもよい。マッサージ装置２００は、例えば、脳波を測定可能な測定装置が測定した脳波に基づき、身体の状態を推定してもよい。
【０２２８】
また、上記第２の実施形態及び第３の実施形態では、測定装置１００が測定した情報が、測定装置１００から携帯電話３００及びサーバ４００にそれぞれ送信されるとした。しかし、測定装置１００が測定した情報は、例えば測定装置１００からマッサージ装置２００に送信され、マッサージ装置２００から携帯電話３００及びサーバ４００に送信されるとしてもよい。さらに、マッサージの実施情報等は、マッサージ装置２００から携帯電話３００又はサーバ４００に送信されるのではなく、マッサージ装置２００から測定装置１００に送信され、測定装置１００から、携帯電話３００又はサーバ４００に送信されるとしてもよい。
【０２２９】
また、上述の第４の実施形態で説明した測定装置１６５は、第１、第２又は第３の実施形態の測定装置１００に置き換えることができる。すなわち、第４の実施形態で説明した測定装置１６５は第１、第２又は第３の実施形態に適用可能である。
【０２３０】
また、上記各実施形態では、被検者がマッサージを受けている際の血流を測定し、マッサージの効果を推定するとしてもよい。しかし本開示では、例えばマッサージを受ける前や、マッサージを受けた後の血流を図るとしてもよい。さらに、マッサージの施術を受けている被検者に対して、数日、数週間、又は数か月等の時間間隔で血流を測定し、マッサージの効果を推定し、その結果を表示するとしてもよい。
【０２３１】
また、上記各実施形態では、マッサージチェアにより実現されるマッサージ装置２００により被検者がマッサージを受けるとした。しかし、本開示では、被検者が受けるマッサージは、機械的なマッサージチェアによるマッサージに限定されない。例えば、本開示で被検者が受けるマッサージは、マッサージ装置２００によるマッサージの他、人によるマッサージ、音楽や、香りや、温泉などを利用したマッサージなどを単独で、あるいはこれらを適宜組み合わせたマッサージを用いることができる。
【０２３２】
本開示を完全かつ明瞭に開示するためにいくつかの実施形態に関し説明してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。また、いくつかの実施形態に示した各要件は、自由に組み合わせが可能である。
【符号の説明】
【０２３３】
１、１ａ、１ｂ、１ｃ  推定システム
１００、１６５  測定装置
１０１  第１端
１０２  第２端
１１０、１１０ａ  保持部
１２０  測定機構
１２１  挿入部
１２２  押圧部
１２３  接触部
１２３ａ、１２３ｂ  突出部
１２４  接続部
１３０  電源保持部
１４０  制御機構保持部
１５０  当接部
１６０  測定部
１６１  発光部
１６２  受光部
１６３  センサユニット
１６７、１６８、１７３ａ  イヤピース
１７０、２２０、３２０、４２０  制御部
１７１、２２１、３２１、４２１  プロセッサ
１７２  左耳部
１７３  右耳部
１７５  ケーブル
１８０、２３０、３３０、４３０  記憶部
１８５  メインユニット
１９０、２４０、３４０、４４０  通信部
２００  マッサージ装置
２０３  コントロールパネル
２１０  マッサージ部
２５０、３５０、４５０  入力部
２５０ａ  入力キー
２６０、３６０  報知部
３００  携帯電話
４００  サーバ
【図１】
2018079239.tif 000003
【図２】
2018079239.tif 000004
【図３】
2018079239.tif 000005
【図４】
2018079239.tif 000006
【図５】
2018079239.tif 000007
【図６】
2018079239.tif 000008
【図７】
2018079239.tif 000009
【図８】
2018079239.tif 000010
【図９】
2018079239.tif 000011
【図１０】
2018079239.tif 000012
【図１１】
2018079239.tif 000013
【図１２】
2018079239.tif 000014
【図１３】
2018079239.tif 000015
【図１４】
2018079239.tif 000016
【図１５】
2018079239.tif 000017
【図１６】
2018079239.tif 000018
【図１７】
2018079239.tif 000019
【図１８】
2018079239.tif 000020
【図１９】
2018079239.tif 000021
【図２０】
2018079239.tif 000022
【図２１】
2018079239.tif 000023
【図２２】
2018079239.tif 000024
【図２３】
2018079239.tif 000025
【図２４】
2018079239.tif 000026
【図２５】
2018079239.tif 000027
【図２６】
2018079239.tif 000028
【図２７】
2018079239.tif 000029
【図２８】
2018079239.tif 000030
【図２９】
2018079239.tif 000031
【図３０】
2018079239.tif 000032
【図３１】
2018079239.tif 000033
【図３２】
2018079239.tif 000034
【図３３】
2018079239.tif 000035
【図３４】
2018079239.tif 000036
【図３５】
2018079239.tif 000037